(57)【要約】【課題】  上下に積み重ね状態で配置される複数のごみ箱を有する分別収集ごみ箱において、ごみの投入動作がし易くしかも上下のごみ箱の前面をほぼ面一にできて前後に小さな設置スペースにも無理なく設置することができる分別収集ごみ箱を提供する。【解決手段】  ごみ箱２、３を上下に積み重ね、下部のごみ箱３の前面上部にごみ投入口２１と蓋体２５を設けた分別収集ごみ箱１において、下側のごみ箱３の前面上部に、斜め上方に向けて傾斜する上部斜めカット面２０を形成し、この上部斜めカット面２０にごみ投入口２１と上向きに開閉するはね上げ式蓋体２５を設け、上側のごみ箱２の前面底部に、斜め下方に向けて傾斜する底部斜めカット面１７を形成し、ごみ投入口２１を設けた上部斜めカット面２０上に横向きＶ字状に大きく開いた空間２９を形成した。【選択図】        図２
0003113150.tif 000002
【実用新案登録請求の範囲】
【請求項１】
上下に積み重ね状態で配置される複数のごみ箱を有する分別収集ごみ箱であって、下側のごみ箱の前面上部に、斜め上方に向けて傾斜する上部斜めカット面を形成し、この上部斜めカット面にごみ投入口と上向きに開閉するはね上げ式蓋体を設け、上側のごみ箱の前面底部に、斜め下方に向けて傾斜する底部斜めカット面を形成したことを特徴とする分別収集ごみ箱。
【請求項２】
上下に配置されるごみ箱をそれぞれ各別に設置・取り出し可能に支持する枠体を備えていることを特徴とする請求項１記載の分別収集ごみ箱。
【考案の詳細な説明】
【技術分野】
【０００１】
本考案は、ごみを分別収集するために複数のごみ箱を組み合わせた分別収集ごみ箱に関し、特に複数のごみ箱を上下に配置した分別収集ごみ箱に関するものである。
【背景技術】
【０００２】
近年、環境保護のため、家庭から排出されるごみの収集に際して、燃焼可能なごみ、燃焼不可のごみ、再生可能なごみなどに分別して収集されるようになっている。そこで、各家庭においても、分別せずに捨てられたごみの山を後で分別するのは、手間がかかる上に衛生上からも好ましくないので、ごみを種類毎に分別して捨てることができるように、複数のごみ箱を組み合わせた分別収集ごみ箱を使用する必要性が高くなっている。
【０００３】
このような分別収集ごみ箱は、従来から種々提案されており、その中でも複数のごみ箱を上下に積み重ねて配置した積み重ね方式の分別収集ごみ箱は、限られたスペースに比較的収容容量の大きい複数のごみ箱を設置することができるので、キッチン等に適したものである。なお、積み重ね方式でも、複数の引き出し式のごみ箱を上下に積み重ねたものは、単純に蓋体を開いてごみを捨てるようにしたものに比して、ごみを捨てる際にごみ箱を出し入れする必要があるために手間がかかって面倒である。
【０００４】
そこで、独立したごみ箱を上下に積み重ねて配置し、上部のごみ箱は上面にごみ投入口とそれを開閉する蓋体を設け、下部のごみ箱は前面上部にごみ投入口とそれを開閉する蓋体を設けたものが提案されている（例えば、特許文献１参照。）。なお、この特許文献１には、下部のごみ箱の足元に配設したペダルを踏むことで上部のごみ箱の蓋体を上方に開くことができるように構成したものが提案されている。勿論、上部のごみ箱の蓋体を手で上方に開くようにしたものも知られている。
【特許文献１】特許第２８４００３７号明細書
【考案の開示】
【考案が解決しようとする課題】
【０００５】
ところが、独立したごみ箱を上下に積み重ね、下部のごみ箱の前面上部にごみ投入口と蓋体を設けた分別収集ごみ箱においては、上部と下部のごみ箱の前面をほぼ面一にした場合、下部のごみ箱のごみ投入口が垂直に開口しているため、その蓋体を開いてごみを投入する動作がし難いという問題がある。また、下部のごみ箱に対してごみを投入し易いようにごみ投入口を斜め上向きに開口させる場合、上記特許文献１に記載されているように、下部のごみ箱の前面を上部のごみ箱の前面よりも前方に突出させる必要があり、突出させた分だけ、前後に大きな設置スペースが必要になるという問題がある。
【０００６】
本考案は、上記従来の問題点に鑑み、上下に積み重ね状態で配置される複数のごみ箱を有する分別収集ごみ箱において、ごみの投入動作がし易くしかも上下のごみ箱の前面をほぼ面一にできて前後に小さな設置スペースにも無理なく設置することができる分別収集ごみ箱を提供することを課題とする。
【課題を解決するための手段】
【０００７】
本考案の分別収集ごみ箱は、上下に積み重ね状態で配置される複数のごみ箱を有する分別収集ごみ箱であって、下側のごみ箱の前面上部に、斜め上方に向けて傾斜する上部斜めカット面を形成し、この上部斜めカット面にごみ投入口と上向きに開閉するはね上げ式蓋体を設け、上側のごみ箱の前面底部に、斜め下方に向けて傾斜する底部斜めカット面を形成したものである。
【０００８】
この構成によると、上側のごみ箱の前面底部に形成された底部斜めカット面と、下側のごみ箱の前面上部に形成された上部斜めカット面にて、上部斜めカット面上に前方上方に横向きＶ字状に大きく開いた空間が形成され、かつその上部斜めカット面に下側のごみ箱のごみ投入口が設けられているので、はね上げ式蓋体を上向きに大きく開いてごみ投入口を開口させることができ、下側のごみ箱にごみを投入する動作がし易く、しかも上側のごみ箱と下側のごみ箱の前面はほぼ面一にでき、前後に小さい設置スペースにも設置することができる。
【０００９】
また、上下に配置されるごみ箱を相互に離脱可能に一体結合するようにしてもよいが、上下に配置されるごみ箱をそれぞれ各別に設置・取り出し可能に支持する枠体を備えていると、上部と下部のごみ箱をそれぞれ単独で任意に取り出したり、 設置したりすることができ、使い勝手が良くなる。
【考案の効果】
【００１０】
本考案によれば、上側のごみ箱の底部斜めカット面と下側のごみ箱の上部斜めカット面にて上部斜めカット面上に前方上方に横向きＶ字状に大きく開いた空間を形成しているので、下側のごみ箱の上部斜めカット面に設けたごみ投入口を、はね上げ式蓋体を上向きに大きく開いて開口させることができ、下側のごみ箱にごみを投入する動作がし易く、しかも上側のごみ箱と下側のごみ箱の前面はほぼ面一にでき、前後に小さい設置スペースにも設置することができるという多大な効果が得られる。
【考案を実施するための最良の形態】
【００１１】
以下、本考案の分別収集ごみ箱の一実施形態について、図１〜図８を参照して説明する。
【００１２】
図１〜図８において、１は分別収集ごみ箱で、単一の合成樹脂製上部ごみ箱２と、一対の合成樹脂製下部ごみ箱３（３ａ、３ｂ）と、これらのごみ箱２、３を任意に取り出し、設置可能に保持する金属パイプ製の枠体４にて構成されている。
【００１３】
枠体４は、下端開放の縦長コ字状の一対の側枠５ａ、５ｂと、両側に配設された一対の側枠５ａ、５ｂをその上端から適当距離下方位置で連結するとともに上部ごみ箱２の下部を嵌合させて保持する方形枠状の上部保持枠６と、一対の側枠５ａ、５ｂの下端部を連結する方形枠状でかつ下部ごみ箱３（３ａ、３ｂ）の下端面を受ける位置に保持枠桟８ａ、８ｂを設けられた下端連結枠７と、前面開放の平面視コ字状で、下端連結枠７から上方に適当間隔あけた位置で側枠５ａ、５ｂに固着され、下部ごみ箱３（３ａ、３ｂ）の下部背面を受ける下部保持枠９と、一対の側枠５ａ、５ｂの下端に装着された４つのキャスタ１０とで構成されている。
【００１４】
上部ごみ箱２は、全体形状が略角形で上面開口の上部箱体１１と、上部箱体１１の上面開口を開閉する上部蓋体１２にて構成されている。上部箱体１１には、両側上端部に上部ごみ箱２を持つための把手部１３が設けられ、後面上端中央部に、後方に突出させて上部蓋体１２の後端を開閉自在に枢支する枢支部１４（図６参照）が設けられている。上部箱体１１の下端から適当距離上方位置までの範囲は、枠体４の上部保持枠６内に嵌入するように、幅寸法の小さい嵌合底部１５として構成されている。この嵌合底部１５の両側上端の段部１６が上部保持枠６に係合することで、上部ごみ箱２が任意に取り出し及び設置可能に枠体４にて保持されている。そして、上部箱体１１の嵌合底部１５の前面は、斜め下方後方に向けて傾斜する底部傾めカット面１７に構成されている。
【００１５】
下部ごみ箱３（３ａ、３ｂ）は、枠体４内の上部ごみ箱２より下方の空間内に、一対を並列して収納し、それぞれ保持枠桟８ａ、８ｂ上に設置できるように、上部箱体１１の半分以下の幅寸法の、全体形状が縦長の略角形で上面開口の下部箱体１８と、この下部箱体１８の上面開口を開閉する下部蓋体１９にて構成されている。下部箱体１８の前面上部は、斜め上方に向けて傾斜する上部斜めカット面２０に構成されている。その結果、下部箱体１８の上面開口は側面視で中間位置でへの字状に屈曲され、斜め前方下方に傾斜してごみ投入口として機能するた前部開口２１と、 水平な後部開口２２に分かれている。また、下部箱体１８の垂直な前面の上端には、全幅にわたって前方に突出させて下部ごみ箱３を持つための把手部２３が設けられている。
【００１６】
下部蓋体１９は、下部箱体１８の上面開口の屈曲位置に対応して設けられた揺動連結部２４にて回動可能に連結された前蓋体２５と後蓋体２６にて構成され、前蓋体２５がごみ投入口として機能する前部開口２１を開閉するはね上げ式蓋体を構成し、後蓋体２６が後部開口２２を閉蓋するとともに、その後端が下部箱体１８の後面上端中央部に後方に突出させて設けられた枢支部２７（図３、図６参照）にて開閉自在に枢支されている。前蓋体２５の前端には、指をかけて前蓋体２５をはね上げ操作するための操作片２８が突出形成されている。
【００１７】
以上の構成の分別収集ごみ箱１によれば、上部ごみ箱２にごみを捨てる際には、上部蓋体１２を手で上方に開いて上部箱体１１内にごみを投入し、手を離せば良い。また、下部ごみ箱３（３ａ又は３ｂ）にごみを捨てる際には、図２に示すように、下部蓋体１９の前蓋体２５をその前端の操作片２８に指をかけて上方にはね上げることで、ごみ投入口である前部開口２１が開口し、このごみ投入口から下部箱体１８内にごみを投入し、手を離せば良い。
【００１８】
この下部ごみ箱３にごみを捨てる際に、上部ごみ箱２の前面底部に形成された底部斜めカット面１７と、下部ごみ箱３の前面上部に形成された上部斜めカット面２０によって、ごみ投入口である前部開口２１を設けた上部斜めカット面２０上に、前方上方に横向きＶ字状に大きく開いた空間２９が形成されているので、はね上げ式蓋体である前蓋体２５を上向きに大きく開いてごみ投入口を斜め上向きに開口させることができ、ごみを投入する動作が非常にし易く、使い勝手がよい。しかも、上部ごみ箱２と下部ごみ箱３の前面はほぼ面一にできるので、この分別収集ごみ箱１は前後に小さい設置スペースにも無理なく設置することができる。
【００１９】
上記下部蓋体１９の前蓋体２５の開口操作およびごみ投入動作がスムースに行なえるためには、上記横向きＶ字状の空間２９が上記開口操作等に適した空間となっていることが必要である。本実施形態では、図５に示すように、前記底部斜めカット面１７の水平面に対する立下がり角αを約５０°、前記上部斜めカット面２０の水平面に対する立上がり角βを約４０°としているが、前記角αを４０°〜６０°の範囲に、前記角βを３０°〜５０°の範囲とすると好適である。また前記横向きＶ字状の空間２９の下部箱体１８の前面からの奥行き距離Ｐは、１０ｃｍ以上あることが好ましく、かつ下部箱体１８の全奥行き距離Ｑの１／２以下であることが好ましい。
【００２０】
また、これらのごみ箱２、３ａ、３ｂに溜まったごみを、それぞれの収集日に取り出す際には、枠体４から必要なごみ箱２、３ａ、３ｂを任意に取り出し、当該ごみ箱２、３ａ、３ｂから収集袋を取り出してごみ出しするとともに、ごみ箱２、３ａ、３ｂ内に新しい収集袋をセットした後枠体４内に戻して設置すれば良いので、手間がかからず使い勝手が良い。
【００２１】
また、下部ごみ箱３については、枠体４から取り出すと、図３に実線で示すように、下部蓋体１９の全体を開くことができ、下部箱体１８の上面開口を全面的に開口させることができるので、上記収集袋の取り出しやセットを容易に行うことができ、内部洗浄にも好適である。
【００２２】
なお、上記実施形態の分別収集ごみ箱１では、単一の上部ごみ箱２と一対の下部ごみ箱３ａ、３ｂの３つのごみ箱から成る例を示したが、上部ごみ箱と下部ごみ箱を共に単一のごみ箱で構成しても良いことはいうまでもなく、また両方とも複数のごみ箱にて構成し、互いに結合できる構成とすることもできる。また、上記実施形態では上部ごみ箱と下部ごみ箱の上下２段にごみ箱を積み重ねた例を示したが、本考案はごみ箱を上下に３段以上に積み重ねた構成とすることもできる。
【産業上の利用可能性】
【００２３】
本考案の分別収集ごみ箱は、上側のごみ箱の底部斜めカット面と下側のごみ箱の上部斜めカット面にて上部斜めカット面上に前方上方に横向きＶ字状に大きく開いた空間を形成しているので、下側のごみ箱の上部斜めカット面に設けたごみ投入口をはね上げ式蓋体を上向きに大きく開いて開口させることができ、下側のごみ箱にごみを投入する動作がし易く、しかも上側のごみ箱と下側のごみ箱の前面はほぼ面一にでき、前後に小さい設置スペースにも設置することができるので、複数のごみ箱を上下に積み重ね配置した分別収集ごみ箱に有用である。
【図面の簡単な説明】
【００２４】
【図１】本考案の一実施形態の分別収集ごみ箱の斜視図である。
【図２】同分別収集ごみ箱において、下側のごみ箱のごみ投入口を開いた状態を示す斜視図である。
【図３】同分別収集ごみ箱における下側のごみ箱を、その上面開口の全体を開いて示した斜視図である。
【図４】同分別収集ごみ箱の正面図である。
【図５】同分別収集ごみ箱の側面図である。
【図６】同分別収集ごみ箱の背面図である。
【図７】図４のＡ−Ａ矢視縦断側面図である。
【図８】図５のＢ−Ｂ矢視縦断側面図である。
【符号の説明】
【００２５】
１  分別収集ごみ箱
２  上部ごみ箱（上側のごみ箱）
３  下部ごみ箱（下側のごみ箱）
４  枠体
１７  底部斜めカット面
２０  上部斜めカット面
２１  前部開口（ごみ投入口）
２５  前蓋体（はね上げ式蓋体）
２９  横向きＶ字状に大きく開いた空間
【図１】
0003113150.tif 000003
【図２】
0003113150.tif 000004
【図３】
0003113150.tif 000005
【図４】
0003113150.tif 000006
【図５】
0003113150.tif 000007
【図６】
0003113150.tif 000008
【図７】
0003113150.tif 000009
【図８】
0003113150.tif 000010